(57)【特許請求の範囲】
【請求項１】
携帯端末装置であって、
電池を有して前記携帯端末装置の各部に電力を供給する電池部と、
前記電池部から供給される電力を用いて動作し、前記携帯端末装置の加速度を測定する加速度測定部と、
前記電池部から供給される電力を用いて動作し、無線通信を行う無線通信部と、
前記加速度測定部が加速度を検出しない状態が継続している場合に、所定の事象発生からの経過時間を測定する時間測定部と、
を具備し、
前記電池部は、前記電池の電池残量が所定の省電力閾値電池残量以下となると、前記無線通信部への電力供給を停止し、前記時間測定部が所定の時間経過したことを示すと、前記無線通信部への電力供給を再開し、
前記無線通信部は、前記時間測定部が前記所定の時間経過したことを示し、かつ、前記電池部が当該無線通信部に電力を供給すると、加速度非検出を示す信号を送信し、前記加速度測定部が加速度を検出し、かつ、前記電池部が当該無線通信部に電力を供給すると、加速度検出を示す信号を送信する、
ことを特徴とする携帯端末装置。
【請求項２】
前記電池部は、前記電池の電池残量が前記省電力閾値電池残量以下か否かにかかわらず、前記加速度測定部に電力を供給する、ことを特徴とする請求項１に記載の携帯端末装置。
【請求項３】
前記無線通信部は、前記加速度非検出を示す信号を送信済みである場合にのみ前記加速度検出を示す信号を送信する、ことを特徴とする請求項１または請求項２に記載の携帯端末装置。
【請求項４】
電池を有して電力を供給する電池部を具備する携帯端末装置の状態通知方法であって、
前記電池部から供給される電力を用いて、前記携帯端末装置の加速度を測定する加速度測定ステップと、
前記電池部から供給される電力を用いて、無線通信を行う無線通信ステップと、
前記加速度測定ステップにて加速度を検出しない状態が継続している場合に、所定の事象発生からの経過時間を測定する時間測定ステップと、
前記電池の電池残量が所定の省電力閾値電池残量以下となると、前記無線通信ステップのための電力供給を停止する電力供給停止ステップと、
前記無線通信ステップのための電力供給を停止した状態で、前記時間測定ステップにて所定の時間経過したことを検出すると、前記無線通信ステップのための電力供給を再開する電力供給再開ステップと、
を具備し、
前記無線通信ステップは、
前記時間測定ステップにて前記所定の時間経過したことを検出し、かつ、前記電池部が当該無線通信ステップのための電力を供給すると、加速度非検出を示す信号を送信する加速度不検出信号送信ステップと、
前記加速度測定ステップにて加速度を検出し、かつ、前記電池部が当該無線通信ステップのための電力を供給すると、加速度検出を示す信号を送信するステップと、
を具備する、ことを特徴とする状態通知方法。
【請求項５】
電池を有して電力を供給する電池部を具備する携帯端末装置としてのコンピュータに、
前記電池部から供給される電力を用いて、前記携帯端末装置の加速度を測定する加速度測定ステップと、
前記電池部から供給される電力を用いて、無線通信を行う無線通信ステップと、
前記加速度測定ステップにて加速度を検出しない状態が継続している場合に、所定の事象発生からの経過時間を測定する時間測定ステップと、
前記電池の電池残量が所定の省電力閾値電池残量以下となると、前記無線通信ステップのための電力供給を停止する電力供給停止ステップと、
前記無線通信ステップのための電力供給を停止した状態で、前記時間測定ステップにて所定の時間経過したことを検出すると、前記無線通信ステップのための電力供給を再開する電力供給再開ステップと、
を実行させ、
前記無線通信ステップにて、
前記時間測定ステップにて前記所定の時間経過したことを検出し、かつ、前記電池部が当該無線通信ステップのための電力を供給すると、加速度非検出を示す信号を送信する加速度不検出信号送信ステップと、
前記加速度測定ステップにて加速度を検出し、かつ、前記電池部が当該無線通信ステップのための電力を供給すると、加速度検出を示す信号を送信するステップと、
を実行させる、ためのプログラム。
【発明の詳細な説明】
【技術分野】
【０００１】
本発明は、携帯端末装置、当該携帯端末装置の状態通知方法およびプログラムに関する。
【背景技術】
【０００２】
携帯端末装置を利用してユーザの安否を通知する幾つかの技術が提案されている。例えば、特許文献１に示される被保護者の携帯電話は、所定時間内に所定の携帯電話の操作等を検出することで、一定時間間隔で保護者の情報通信端末へ「異常なし」を通知するメールを送信する。これにより、保護者の情報通信端末において、被保護者の異常発生の可能性を検出することができるとされている。
【先行技術文献】
【特許文献】
【０００３】
【特許文献１】特開２００８−９８７４４号公報
【発明の概要】
【発明が解決しようとする課題】
【０００４】
しかしながら、特許文献１に示される被保護者の携帯電話において、所定時間内に所定の携帯電話の操作等を検出し、さらに、一定時間間隔で保護者の情報通信端末へ「異常なし」を通知するメールを送信するために、当該携帯電話の電源を常時ＯＮにしておくと、電力を消耗し、異常なしの通知を行えなくなってしまう。一方で、携帯電話の電源をＯＦＦにすると、携帯電話の操作等を検出できず、やはり、異常なしの通知を行えなくなってしまう。
【０００５】
本発明は、上述の課題を解決することのできる携帯端末装置、状態通知方法およびプログラムを提供することを目的としている。
【課題を解決するための手段】
【０００６】
この発明は上述した課題を解決するためになされたもので、本発明の一態様による携帯端末装置は、電池を有して前記携帯端末装置の各部に電力を供給する電池部と、前記電池部から供給される電力を用いて動作し、前記携帯端末装置の加速度を測定する加速度測定部と、前記電池部から供給される電力を用いて動作し、無線通信を行う無線通信部と、前記加速度測定部が加速度を検出しない状態が継続している場合に、所定の事象発生からの経過時間を測定する時間測定部と、を具備し、前記電池部は、前記電池の電池残量が所定の省電力閾値電池残量以下となると、前記無線通信部への電力供給を停止し、前記時間測定部が所定の時間経過したことを示すと、前記無線通信部への電力供給を再開し、前記無線通信部は、前記時間測定部が前記所定の時間経過したことを示し、かつ、前記電池部が当該無線通信部に電力を供給すると、加速度非検出を示す信号を送信し、前記加速度測定部が加速度を検出し、かつ、前記電池部が当該無線通信部に電力を供給すると、加速度検出を示す信号を送信する、ことを特徴とする。
【０００７】
また、本発明の一態様による状態通知方法は、電池を有して電力を供給する電池部を具備する携帯端末装置の状態通知方法であって、前記電池部から供給される電力を用いて、前記携帯端末装置の加速度を測定する加速度測定ステップと、前記電池部から供給される電力を用いて、無線通信を行う無線通信ステップと、前記加速度測定ステップにて加速度を検出しない状態が継続している場合に、所定の事象発生からの経過時間を測定する時間測定ステップと、前記電池の電池残量が所定の省電力閾値電池残量以下となると、前記無線通信ステップのための電力供給を停止する電力供給停止ステップと、前記無線通信ステップのための電力供給を停止した状態で、前記時間測定ステップにて所定の時間経過したことを検出すると、前記無線通信ステップのための電力供給を再開する電力供給再開ステップと、を具備し、前記無線通信ステップは、前記時間測定ステップにて前記所定の時間経過したことを検出し、かつ、前記電池部が当該無線通信ステップのための電力を供給すると、加速度非検出を示す信号を送信する加速度不検出信号送信ステップと、前記加速度測定ステップにて加速度を検出し、かつ、前記電池部が当該無線通信ステップのための電力を供給すると、加速度検出を示す信号を送信するステップと、を具備する、ことを特徴とする。
【０００８】
また、本発明の一態様によるプログラムは、電池を有して電力を供給する電池部を具備する携帯端末装置としてのコンピュータに、前記電池部から供給される電力を用いて、前記携帯端末装置の加速度を測定する加速度測定ステップと、前記電池部から供給される電力を用いて、無線通信を行う無線通信ステップと、前記加速度測定ステップにて加速度を検出しない状態が継続している場合に、所定の事象発生からの経過時間を測定する時間測定ステップと、前記電池の電池残量が所定の省電力閾値電池残量以下となると、前記無線通信ステップのための電力供給を停止する電力供給停止ステップと、前記無線通信ステップのための電力供給を停止した状態で、前記時間測定ステップにて所定の時間経過したことを検出すると、前記無線通信ステップのための電力供給を再開する電力供給再開ステップと、を実行させ、前記無線通信ステップにて、前記時間測定ステップにて前記所定の時間経過したことを検出し、かつ、前記電池部が当該無線通信ステップのための電力を供給すると、加速度非検出を示す信号を送信する加速度不検出信号送信ステップと、前記加速度測定ステップにて加速度を検出し、かつ、前記電池部が当該無線通信ステップのための電力を供給すると、加速度検出を示す信号を送信するステップと、を実行させる、ためのプログラムである。
【発明の効果】
【０００９】
本発明によれば、電力の消耗を抑制して、より長時間安否情報を送信することができる。
【図面の簡単な説明】
【００１０】
【図１】本発明の一実施形態における携帯端末装置の概略構成を示す構成図である。
【図２】同実施形態において、記憶部１２２の記憶する、安否情報通知機能の設定情報の例を示す説明図である。
【図３】同実施形態において、携帯端末装置１が安否情報通知機能を実行する処理手順を示すフローチャートである。
【図４】同実施形態において、加速度を検出していないことの通知に加えて、加速度を検出したことの通知を行う場合の、携帯端末装置１の処理手順を示すフローチャートである。
【発明を実施するための形態】
【００１１】
以下、図面を参照して、本発明の実施の形態について説明する。
図１は、本発明の一実施形態における携帯端末装置の概略構成を示す構成図である。同図において、携帯端末装置１は、操作部１０１と、表示部１０２と、電池部１０３と、無線通信部１１１と、加速度検出部１１２と、位置情報取得部１１３と、時間測定部１１４と、制御部１２１と、記憶部１２２とを具備する。
【００１２】
携帯端末装置１は、当該携帯端末装置１の加速度に基づいて、ユーザの安否に関する情報（以下、「安否情報」と称する）を出力する携帯電話機である。
なお、本発明の適用範囲は、携帯電話機に限らない。本発明は、ＰＤＡ（Personal Digital Assistant）やＰＨＳ（Personal Handy-phone System）など、携帯可能な様々な端末装置に適用可能である。
【００１３】
操作部１０１は、テンキーや方向キーや決定ボタンなどの操作ボタンを有し、ユーザの操作入力を受け付け、受け付けた操作入力を示す情報を制御部１２１に出力する。
表示部１０２は、液晶パネル等の表示画面を有し、制御部１２１の制御に従って、動画像や静止画像やテキストなど各種データを表示する。
【００１４】
電池部１０３は、携帯端末装置１の電源であり、電池を有して前記携帯端末装置の各部に電力を供給する。また、電池部１０３は、電池監視装置を有し、電池部１０３自らの有する電池の電池残量（以下、単に「電池部１０３の電池残量」と称する）を測定し、電池残量測定値を制御部１２１に出力する。
無線通信部１１１は、携帯電話通信網（携帯電話サービス事業者の提供する携帯電話機向けの通信ネットワーク）に無線にて接続して通信を行う。特に、無線通信部１１１は、制御部１２１の制御に従って安否情報を送信する。
【００１５】
加速度検出部１１２は、携帯端末装置１の加速度を測定する３軸（ＸＹＺ軸）加速度センサを有し、携帯端末装置１の加速度測定値を制御部１２１に出力する。なお、以下では、加速度検出部１１２が、携帯端末装置１の速度の変化を示す加速度測定値（すなわち重力加速度以外の加速度測定値であり、携帯端末装置１が位置または姿勢（傾き）を変化させていることを示す）を出力することを、加速度検出部１１２が加速度を「検出」すると称する。
【００１６】
位置情報取得部１１３は、ＧＰＳ（Global Positioning System、全地球測位システム）装置を有し、ＧＰＳ衛星から送信される信号を用いて携帯端末装置１の位置情報を取得する。
時間測定部１１４は、制御部１２１の制御に従って、加速度検出部１１２が最後に加速度を検出してからの経過時間や、安否情報を最後に送信してからの経過時間を測定する。
【００１７】
制御部１２１は、携帯端末装置１の各部を制御する。特に、制御部１２１は、時間測定部１１４に、加速度検出部１１２が最後に加速度を検出してからの経過時間や、安否情報を最後に送信してからの経過時間を測定させ、これらの経過時間に基づいて、無線通信部１１１に安否情報を送信させる。また、制御部１２１は、電池部１０３の電池残量に基づいて、電池部１０３による各部への電力供給を制御する。
また、制御部１２１は、無線通信部１１１に、電子メールの送受信や電話通話などの通信を行わせる。また、制御部１２１は、操作部１０１から取得するユーザの操作入力情報に応じて、各種アプリケーションを実行し、当該アプリケーション機能を提供する。例えば、制御部１２１は、ユーザによる電話帳データ表示要求操作に応じて、記憶部１２２から電話帳データを読み出し、当該電話帳データを表示部１０２に表示させる。また、制御部１２１は、ユーザによる歩数計アプリケーションの呼び出し操作を受け付けると、加速度検出部１１２の加速度測定値に基づいて歩数検出を行い、表示部１０２に歩数を表示させる。また、制御部１２１は、加速度検出部１１２の加速度測定値に基づいて、携帯端末装置１の縦横検出を行い、表示部１０２に対して、検出結果に基づく画面表示を行わせる。
また、制御部１２１は、電池部１０３の電池レベルをインジケータにて表示部１０２に表示させる。
記憶部１２２は、記憶デバイスを有し、各種データを記憶する。特に、記憶部１２２は、安否情報通知機能の設定情報を記憶する。
【００１８】
図２は、記憶部１２２の記憶する、安否情報通知機能の設定情報の例を示す説明図である。同図に示すように、記憶部１２２は、安否情報通知機能の設定情報として、氏名Ｌ１１と、電話番号Ｌ１２と、メールアドレスＬ１３と、安否情報通知フラグＬ１４と、初回通知タイミングＬ１５と、電源オフ電池レベルＬ１６と、定期通知間隔Ｌ１７との各情報を記憶する。
氏名Ｌ１１と、電話番号Ｌ１２と、メールアドレスＬ１３とは、それぞれ安否情報を通知する相手の氏名と、電話番号と、メールアドレスとを示す。
安否情報通知フラグＬ１４は、安否情報通知機能を実行するか否かを設定するフラグである。安否情報通知フラグの、「ＯＮ」は安否情報通知機能を実行することを示し、「ＯＦＦ」は安否情報通知機能を実行しないことを示す。
初回通知タイミングＬ１５は、加速度検出部１１２が最後に加速度を検出してから安否情報通知を行うまでの時間を示す。例えば、図２にて設定されている「８時間」の場合、加速度検出部１１２が加速度を検出しない時間が８時間継続すると、携帯端末装置１は安否情報の送信を行う。
電源オフ電池レベルＬ１６は、携帯端末装置１が電源を切断（ＯＦＦ）する電池レベルを示す。例えば、図２にて設定されている「１」の場合、携帯端末装置１は、初回通知タイミングに示される時間が経過して安否情報の送信を行った後、加速度検出部１１２が加速度を検出しない状態が継続している場合に、電池部１０３の電池レベルが５段階のうちのレベル１（電池残量の最も少ないレベル）となると、電源を切断する。
定期通知間隔Ｌ１７は、安否情報の送信を行ってから安否情報の送信を再度行うまでの時間を示す。例えば、図２にて設定されている「１時間」の場合、携帯端末装置１が安否情報を送信した後、加速度検出部１１２が加速度を検出しない時間が１時間継続すると、携帯端末装置１は安否情報を再度送信する。
【００１９】
次に、図３および図４を参照して携帯端末装置１の動作について説明する。
図３は、携帯端末装置１が安否情報通知機能を実行する処理手順を示すフローチャートである。携帯端末装置１は、その電源を接続され、安否情報通知フラグがＯＮに設定されると、同図の処理を開始する。
【００２０】
まず、制御部１２１が、時間測定部１１４に対して、初回通知のためのタイマカウント開始指示を出力する。そして、時間測定部１１４は、当該指示に従って、タイマカウント値ｔ１を「０」にリセットし、タイマカウント（時間測定）を開始する（ステップＳ１０１）。
次に、制御部１２１は、時間測定部１１４のタイマカウント値ｔ１に基づいて、ステップＳ１０１で時間測定部１１４がタイマカウントを開始から初回通知タイミング設定時間（図２のＬ１５）が経過したか否かを判定する（ステップＳ１０２）。
【００２１】
初回通知タイミング設定時間が経過していないと判定した場合（ステップＳ１０２：ＮＯ）、制御部１２１は、加速度検出部１１２が加速度を検出したか否かを判定する（ステップＳ１１１）。
加速度を検出したと判定した場合（ステップＳ１１１：ＹＥＳ）、ステップＳ１０１に戻り、同図の処理を繰り返す。
一方、ステップＳ１１１において、加速度を検出していないと判定した場合（ステップＳ１１１：ＮＯ）、ステップＳ１０２に戻り、初回通知タイミング設定時間の経過または加速度の検出を待ち受ける。
【００２２】
一方、ステップＳ１０２において、初回通知タイミング設定時間が経過したと判定した場合（ステップＳ１０２：ＹＥＳ）、制御部１２１は、無線通信部１１１を制御して安否情報を送信させる（ステップＳ１２１）。
具体的には、制御部１２１は、まず、位置情報取得部１１３から携帯端末装置１の位置情報を取得する。次に、制御部１２１は、安否情報として、携帯端末装置１の加速度を検出しないこと、従って、携帯端末装置１のユーザが動けない状態になっている可能性のあること、および、携帯端末装置１の位置情報を示す、予め登録された通知先（図２のメールアドレスＬ１３）宛のメールを生成する。そして、制御部１２１は、生成したメールを無線通信部１１１に出力する。無線通信部１１１は、制御部１２１から出力されたメールを送信する。
【００２３】
なお、携帯端末装置１が、音声による安否情報通知を行うなど、メール以外の手段により安否情報通知を行うようにしてもよい。
例えば、制御部１２１は、まず、無線通信部１１１を制御して、予め登録された通知先の電話番号の電話機に接続（呼を確立）させる。無線通信部１１１が通知先に接続すると、制御部１２１は、携帯端末装置１の加速度を検出しないこと、従って、携帯端末装置１のユーザが動けない状態になっている可能性のあること、および、携帯端末装置１の位置情報を通知する音声メッセージを、制御部１２１に送信させる。
【００２４】
ステップS１２１における安否情報の送信を完了すると、制御部１２１は、時間測定部１１４に対して再通知のためのタイマカウント開始指示を出力する。そして、時間測定部１１４は、当該指示に従って、タイマカウント値ｔ２を「０」にリセットし、タイマカウントを開始する（ステップＳ１２２）。
次に、制御部１２１は、電池部１０３の電池残量が、電源オフ電池レベル（図２のL１６）以下か否かを判定する（ステップS１２３）。
【００２５】
電源オフ電池レベルより大きいと判定した場合（ステップS１２３：ＹＥＳ）、制御部１２１は、携帯端末装置１の電源を切断するよう指示する信号を電池部１０３に出力し、電池部１０３は、携帯端末装置１の電源を切断する（ステップＳ１３１）。
電源ＯＦＦ状態（携帯端末装置１の電源が切断されている状態）では、電池部１０３は、加速度検出部１１２と、時間測定部１１４と、制御部１２１と、記憶部１２２とに電力を供給する。一方、電源ＯＦＦ状態では、電池部１０３は、無線通信部１１１と、位置情報取得部１１３と、操作部１０１と、表示部１０２とに対しては電力を供給しない（電力の供給を停止する）。
【００２６】
次に、制御部１２１は、時間測定部１１４のタイマカウント値ｔ２に基づいて、ステップＳ１２２で時間測定部１１４がタイマカウントを開始から定期通知間隔（図２のＬ１７）が経過したか否かを判定する（ステップＳ１３２）。
定期通知間隔が経過していないと判定した場合（ステップＳ１３２：ＮＯ）、制御部１２１は、加速度検出部１１２が加速度を検出したか否かを判定する（ステップＳ１４１）。
【００２７】
加速度を検出したと判定した場合（ステップＳ１４１：ＹＥＳ）、制御部１２１は、携帯端末装置１の電源を接続するよう指示する信号を電池部１０３に出力し、電池部１０３は、携帯端末装置１の電源を接続する（ステップＳ１５１）。
電源ＯＮ状態（携帯端末装置１の電源が接続されている状態）では、電池部１０３は、携帯端末装置１の各部（加速度検出部１１２と、時間測定部１１４と、制御部１２１と、記憶部１２２とに加え、無線通信部１１１と、位置情報取得部１１３と、操作部１０１と、表示部１０２と）に電力を供給する。
その後、ステップＳ１０１戻り、同図の処理を繰り返す。
【００２８】
一方、ステップＳ１４１において、加速度を検出していないと判定した場合（ステップＳ１４１：ＮＯ）、ステップＳ１３２に戻り、定期通知間隔の経過または加速度の検出を待ち受ける。
一方、ステップＳ１３２において、定期通知間隔が経過したと判定した場合（ステップＳ１３２：ＹＥＳ）、制御部１２１は、携帯端末装置１の電源を接続するよう指示する信号を電池部１０３に出力し、電池部１０３は、携帯端末装置１の電源を接続する（ステップＳ１８１）。そして、ステップＳ１２１の場合と同様に、制御部１２１は、無線通信部１１１を制御して安否情報（ステップS１２１の場合と同様、加速度検出部１１２が加速度を検出しないことに基づく安否情報。以下では、「加速度非検知による安否情報」と称する）を送信させる（ステップＳ１８２）。
その後、ステップＳ１２２に戻る。
【００２９】
一方、ステップＳ１２３において、電源オフ電池レベルより大きいと判定した場合（ステップS１２３：NO）、制御部１２１は、時間測定部１１４のタイマカウント値ｔ２に基づいて、ステップＳ１２２で時間測定部１１４がタイマカウントを開始から定期通知間隔（図２のＬ１７）が経過したか否かを判定する（ステップＳ１６１）。
【００３０】
定期通知間隔が経過していないと判定した場合（ステップＳ１６１：ＮＯ）、制御部１２１は、加速度検出部１１２が加速度を検出したか否かを判定する（ステップＳ１７１）。
加速度を検出したと判定した場合（ステップＳ１７１：ＹＥＳ）、ステップＳ１０１に戻り、同図の処理を繰り返す。
【００３１】
一方、ステップＳ１７１において、加速度を検出していないと判定した場合（ステップＳ１７１：ＮＯ）、ステップＳ１２３に戻る。
一方、ステップＳ１６１において、定期通知間隔が経過したと判定した場合（ステップＳ１６１：ＹＥＳ）、ステップＳ１８２へ進む。
【００３２】
以上のように、電池部１０３は、電池の電池残量が電源オフ電池レベル（省電力閾値電池残量）以下となると、無線通信部１１１への電力供給を停止する。そして、定期通信間隔（所定の時間）経過したことを時間測定部１１４が示すと、電池部１０３は、無線通信部１１１への電力供給を再開し、無線通信部１１１は、加速度非検出による安否情報を送信する。
これにより、携帯端末装置１は、電池残量が低下した状態において、無線通信部１１１への電力供給を停止して電力の消耗を抑制し、かつ、安否情報の送信時には無線通信部１１１への電力供給を再開して、より長時間安否情報を送信できる。
【００３３】
また、電池部１０３は、電池残量が電源オフ電池レベル以下か否かにかかわらず加速度検出部１１２に電力を供給するので、加速度検出部１１２は、携帯端末装置１の加速度の測定を継続することができる。これにより、携帯端末装置１は、より正確に安否情報を送信できる。
【００３４】
なお、携帯端末装置１が、加速度を検出していないことの通知（加速度非検出による安否情報の送信）に加えて、加速度を検出したことの通知を行うようにしてもよい。
図４は、加速度を検出していないことの通知に加えて、加速度を検出したことの通知を行う場合の、携帯端末装置１の処理手順を示すフローチャートである。
【００３５】
同図において、図３の各部と同様の部分には同一の符号（Ｓ１０１、Ｓ１０２、Ｓ１１１、Ｓ１２１、Ｓ１２２、Ｓ１２３、Ｓ１３１、Ｓ１３２、Ｓ１４１、Ｓ１５１、Ｓ１６１、Ｓ１７１、Ｓ１８１、Ｓ１８２）を付し、説明を省略する。
図４の処理では、制御部１２１が、状態通知フラグの値を記憶部１２２に書き込み、この状態通知フラグの値に従って、無線通信部１１１が加速度検出による安否情報を送信する点で、図３の処理と異なる。
【００３６】
ここで、状態通知フラグは、加速度非検出による安否情報を送信済みか否かを示すフラグであり、記憶部１２２が、この状態通知フラグを記憶する。状態通知フラグの値「済」は送信済みであることを示し、「未」は未だ送信を行っていないことを示す。初期状態（図４の処理開始時）では、状態通知フラグの値は未に設定されている。
また、加速度検出による安否情報は、加速度を検出したことの通知であり、加速度非検出による安否情報の送信先と同じ送信先（図２のメールアドレスＬ１２または電話番号Ｌ１１）に対して送信される。
【００３７】
図４の処理において、制御部１２１は、初回通知タイミング設定時間経過により、ステップＳ１２１において初回の安否情報通知（ここでは、加速度非検出による安否情報を送信する）を行った後、記憶部１２２の記憶する状態通知フラグの値を「済」にする。その後、ステップＳ１２２に進む。
また、制御部１２１は、加速度を検出したと判定した後（ステップＳ１１１：ＹＥＳ、ステップＳ１７１：ＹＥＳ）、あるいは、加速度を検出したと判定して携帯端末装置１を電源ＯＮ状態とした後（ステップＳ１５１）、加速度通知フラグの値が「未」か否かを判定する（ステップＳ２１１）。「済」であると判定した場合（ステップＳ２１１：ＮＯ）、ステップＳ１０１に戻り、同図の処理を繰り返す。
一方、ステップＳ２１１において、「未」であると判定した場合（ステップＳ２１１：ＹＥＳ）、制御部１２１は、無線通信部１１１を制御して加速度検出による安否情報を送信させる（ステップＳ１２１）。
具体的には、制御部１２１は、携帯端末装置１の加速度を検出したこと、従って、携帯端末装置１のユーザが動けない状態を脱したと思われることを示す、予め登録された通知先（図２のメールアドレスＬ１３）宛のメールを生成する。そして、制御部１２１は、生成したメールを無線通信部１１１に出力する。無線通信部１１１は、制御部１２１から出力されたメールを送信する。
【００３８】
なお、加速度非検出による安否情報の場合と同様、携帯端末装置１が、加速度を検出したことの通知を音声によって行うなど、メール以外の手段を用いて加速度検出による安否情報の通知を行うようにしてもよい。
【００３９】
ステップS２２１における加速度検出による安否情報の送信を完了すると、制御部１２１は、記憶部１２２の記憶する状態通知フラグの値を「未」にする（ステップＳ２２２）。
その後、ステップＳ１０１に戻り、同図の処理を繰り返す。
【００４０】
以上のように、加速度検出部１１２が加速度を検出すると、無線通信部１１１が加速度検出による安否情報を送信する。この加速度検出による安否情報を受信した者（例えば、携帯端末装置１のユーザの保護者）は、携帯端末装置１のユーザが動けない状態を脱したと思われることを知り得る。
また、無線通信部１１１は、加速度非検出による安否情報を送信した後においてのみ、
加速度検出による安否情報を送信するので、不必要な信号の送信を抑制でき、電池の消耗を抑えることができる。すなわち、加速度検出による安否情報は、加速度非検出による安否情報を受信して、携帯端末装置１のユーザが動けない状態にあるかも知れないことを認識した者に対して、携帯端末装置１のユーザが当該状態を脱したと思われることを示す情報なので、加速度非検出による安否情報を送信した後のみ送信すればよい。携帯端末装置１は、適切な場合に加速度検出による安否情報を送信できる。
【００４１】
なお、加速度非検出による安否情報と、加速度検出による安否情報とは、携帯端末装置１が加速度を検出していない状態にあることを示すものであり、状態情報の一例である。従って、加速度非検出による安否情報の送信と、加速度検出による安否情報の送信とは、状態通知の一例である。
【００４２】
なお、図３および図４における、携帯端末装置１が、加速度非検出による安否情報の初回送信（ステップＳ１２１）を行った後にのみ電池レベルに応じて電源ＯＦＦ状態となるパターンは、本発明における電力制御パターンの一例であり、本発明における電力制御パターンはこれに限らない。例えば、携帯端末装置１が、加速度非検出による安否情報の初回送信前においても、電池レベルに応じて電源ＯＦＦ状態となるようにしてもよい。
【００４３】
なお、携帯端末装置１の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４４】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００４５】
１  携帯端末装置
１０１  操作部
１０２  表示部
１０３  電池部
１１１  無線通信部
１１２  加速度検出部
１１３  位置情報取得部
１１４  時間測定部
１２１  制御部
１２２  記憶部
【図１】
0005713392.tif 000002
【図２】
0005713392.tif 000003
【図３】
0005713392.tif 000004
【図４】
0005713392.tif 000005